(57)【要約】【課題】画像の転写対象となる記録材を搬送するための構成の簡易化を図るとともに、搬送される記録材の姿勢の安定化を図る。【解決手段】画像形成装置１は、トナー像の形成を行う画像形成部１０と、画像形成部１０で形成されたトナー像を用紙Ｓに転写する第１転写部２０と、第１転写部２０によって用紙Ｓに転写されたトナー像を用紙Ｓに定着する定着部４０と、第１転写部２０に対しトナー像を転写するための用紙Ｓを供給する用紙供給部５０とを備える。用紙供給部５０は、取り付け位置が変更可能な供給調整部５３を備えており、この供給調整部５３は、画像形成装置１に第１転写部２０が取り付けられた際に、第１転写部２０を構成する転写ドラム用フレーム２６の突出部２６ａが突き当たることによって位置決めされる。【選択図】図１
2012185305.tif 000002
【特許請求の範囲】
【請求項１】
画像を形成する画像形成部と、
回転可能に設けられ、前記画像形成部によって形成された画像を保持する像保持体と、
前記像保持体に対向して回転可能に設けられ、当該像保持体に形成された画像を、当該像保持体と対向する転写位置において当該像保持体との間に挟み込んだ記録材に転写する転写部材と、
前記記録材を挟み込んで搬送するとともに、前記転写部材の外周面に向けて当該記録材を供給する供給部材とを含み、
前記転写部材が、外周面に前記記録材を保持する機能を有する第１転写部材と、外周面に当該記録材を保持する機能を有しない第２転写部材とに交換可能であって、
前記転写部材として前記第１転写部材を用いる場合に、前記供給部材を第１の位置に設定し、当該転写部材として前記第２転写部材を用いる場合に、当該供給部材から送り出される前記記録材の向きが当該第１の位置とは異なる第２の位置に設定する設定手段をさらに含むこと
を特徴とする画像形成装置。
【請求項２】
前記設定手段は、前記転写部材として前記第１転写部材を含む第１転写ユニットが取り付けられたことに連動して、前記供給部材を前記第１の位置に位置決めすることを特徴とする請求項１記載の画像形成装置。
【請求項３】
前記設定手段は、前記転写部材として前記第２転写部材を含む第２転写ユニットが取り付けられたことに連動して、前記供給部材を前記第２の位置に位置決めすることを特徴とする請求項２記載の画像形成装置。
【請求項４】
前記画像形成部が、前記像保持体に複数色の画像を色毎に順次形成する第１画像形成部と当該像保持体に単色の画像を形成する第２画像形成部とに交換可能であって、
前記転写部材として前記第１転写部材を用いる場合には、前記画像形成部として前記第１画像形成部を用い、
前記転写部材として前記第２転写部材を用いる場合には、前記画像形成部として前記第２画像形成部を用いること
を特徴とする請求項１乃至３のいずれか１項記載の画像形成装置。
【請求項５】
前記供給部材は、前記記録材を挟んで搬送する一対の回転部材で構成され、
前記一対の回転部材が、当該一対の回転部材のうちの一方の回転部材を中心として回転可能に設けられることを特徴とする請求項１乃至４のいずれか１項記載の画像形成装置。
【請求項６】
前記第１転写部材の径が前記像保持体の径よりも大きく、且つ、前記第２転写部材の径が当該像保持体の径よりも小さいことを特徴とする請求項１乃至５のいずれか１項記載の画像形成装置。
【請求項７】
単色の画像を形成しまたは複数色の画像を色毎に順次形成する画像形成手段と、
回転可能に設けられ、前記画像形成手段によって形成された画像を保持する像保持体と、
外周面に記録材を把持する機能を有するとともに前記像保持体に対向して回転可能に設けられ、当該像保持体に形成された画像を、当該像保持体と対向する転写位置において当該像保持体との間に挟み込んだ記録材に転写する転写部材と、
前記記録材を挟み込んで搬送するとともに、前記転写部材の外周面に向けて当該記録材を供給する供給部材と、
前記画像形成手段が複数の色の画像を色毎に順次形成する多色モードと、当該画像形成手段が単色の画像を形成する単色モードとで、前記転写部材に対する前記記録材の到達位置が変わるように、前記供給部材の位置を変更する変更手段と
を含む画像形成装置。
【請求項８】
前記変更手段は、前記多色モードでの前記到達位置から前記転写位置に至る距離が、前記単色モードでの当該到達位置から当該転写位置に至る距離よりも長くなるように、当該多色モードおよび当該単色モードのそれぞれにおける前記供給部材の位置を設定することを特徴とする請求項７記載の画像形成装置。
【請求項９】
前記供給部材は、前記記録材を挟んで搬送する一対の回転部材で構成され、
前記一対の回転部材が、当該一対の回転部材のうちの一方の回転部材を中心として回転可能に設けられることを特徴とする請求項７または８記載の画像形成装置。
【発明の詳細な説明】
【技術分野】
【０００１】
本発明は、画像形成装置に関する。
【背景技術】
【０００２】
公報記載の従来技術として、画像が形成される感光体ドラムと、用紙を把持するグリッパを備えた転写ドラムとの対向部を通過する用紙に、複数色の画像を順次転写しあるいは単色の画像を転写するようにした画像形成装置において、単色画像形成時と多色画像形成時とで転写ドラムに対する給紙位置を変えるために、ゲートを用いて２つの搬送経路を切り換え、且つ、転写ドラムに給紙を行う供給ロールを異ならせるものが存在する（特許文献１参照）。
【先行技術文献】
【特許文献】
【０００３】
【特許文献１】特開昭６１−２９８５９号公報
【発明の概要】
【発明が解決しようとする課題】
【０００４】
本発明は、画像の転写対象となる記録材を搬送するための構成の簡易化を図るとともに、搬送される記録材の姿勢の安定化を図ることを目的とする。
【課題を解決するための手段】
【０００５】
請求項１記載の発明は、画像を形成する画像形成部と、回転可能に設けられ、前記画像形成部によって形成された画像を保持する像保持体と、前記像保持体に対向して回転可能に設けられ、当該像保持体に形成された画像を、当該像保持体と対向する転写位置において当該像保持体との間に挟み込んだ記録材に転写する転写部材と、前記記録材を挟み込んで搬送するとともに、前記転写部材の外周面に向けて当該記録材を供給する供給部材とを含み、前記転写部材が、外周面に前記記録材を保持する機能を有する第１転写部材と、外周面に当該記録材を保持する機能を有しない第２転写部材とに交換可能であって、前記転写部材として前記第１転写部材を用いる場合に、前記供給部材を第１の位置に設定し、当該転写部材として前記第２転写部材を用いる場合に、当該供給部材から送り出される前記記録材の向きが当該第１の位置とは異なる第２の位置に設定する設定手段をさらに含むことを特徴とする画像形成装置である。
請求項２記載の発明は、前記設定手段は、前記転写部材として前記第１転写部材を含む第１転写ユニットが取り付けられたことに連動して、前記供給部材を前記第１の位置に位置決めすることを特徴とする請求項１記載の画像形成装置である。
請求項３記載の発明は、前記設定手段は、前記転写部材として前記第２転写部材を含む第２転写ユニットが取り付けられたことに連動して、前記供給部材を前記第２の位置に位置決めすることを特徴とする請求項２記載の画像形成装置である。
請求項４記載の発明は、前記画像形成部が、前記像保持体に複数色の画像を色毎に順次形成する第１画像形成部と当該像保持体に単色の画像を形成する第２画像形成部とに交換可能であって、前記転写部材として前記第１転写部材を用いる場合には、前記画像形成部として前記第１画像形成部を用い、前記転写部材として前記第２転写部材を用いる場合には、前記画像形成部として前記第２画像形成部を用いることを特徴とする請求項１乃至３のいずれか１項記載の画像形成装置である。
請求項５記載の発明は、前記供給部材は、前記記録材を挟んで搬送する一対の回転部材で構成され、前記一対の回転部材が、当該一対の回転部材のうちの一方の回転部材を中心として回転可能に設けられることを特徴とする請求項１乃至４のいずれか１項記載の画像形成装置である。
請求項６記載の発明は、前記第１転写部材の径が前記像保持体の径よりも大きく、且つ、前記第２転写部材の径が当該像保持体の径よりも小さいことを特徴とする請求項１乃至５のいずれか１項記載の画像形成装置である。
【０００６】
請求項７記載の発明は、単色の画像を形成しまたは複数色の画像を色毎に順次形成する画像形成手段と、回転可能に設けられ、前記画像形成手段によって形成された画像を保持する像保持体と、外周面に記録材を把持する機能を有するとともに前記像保持体に対向して回転可能に設けられ、当該像保持体に形成された画像を、当該像保持体と対向する転写位置において当該像保持体との間に挟み込んだ記録材に転写する転写部材と、前記記録材を挟み込んで搬送するとともに、前記転写部材の外周面に向けて当該記録材を供給する供給部材と、前記画像形成手段が複数の色の画像を色毎に順次形成する多色モードと、当該画像形成手段が単色の画像を形成する単色モードとで、前記転写部材に対する前記記録材の到達位置が変わるように、前記供給部材の位置を変更する変更手段とを含む画像形成装置である。
請求項８記載の発明は、前記変更手段は、前記多色モードでの前記到達位置から前記転写位置に至る距離が、前記単色モードでの当該到達位置から当該転写位置に至る距離よりも長くなるように、当該多色モードおよび当該単色モードのそれぞれにおける前記供給部材の位置を設定することを特徴とする請求項７記載の画像形成装置である。
請求項９記載の発明は、前記供給部材は、前記記録材を挟んで搬送する一対の回転部材で構成され、前記一対の回転部材が、当該一対の回転部材のうちの一方の回転部材を中心として回転可能に設けられることを特徴とする請求項７または８記載の画像形成装置である。
【発明の効果】
【０００７】
請求項１記載の発明によれば、本構成を有していない場合と比較して、画像の転写対象となる記録材を搬送するための構成の簡易化を図るとともに、搬送される記録材の姿勢の安定化を図ることができる。
請求項２記載の発明によれば、本構成を有していない場合と比較して、第１転写部材が取り付けられた場合における供給部材の位置決めを、より簡易に行うことができる。
請求項３記載の発明によれば、本構成を有していない場合と比較して、第２転写部材が取り付けられた場合における供給部材の位置決めを、より簡易に行うことができる。
請求項４記載の発明によれば、本構成を有していない場合と比較して、多色画像を形成することが可能な構成と、単色画像のみを形成することが可能な構成とを、選択的に実現することができる。
請求項５記載の発明によれば、本構成を有していない場合と比較して、より簡易な構成で、供給部材の位置を変えることができる。
請求項６記載の発明によれば、本構成を有していない場合と比較して、第１転写部材を用いた場合に、より装置を小型化することが可能になる。
請求項７記載の発明によれば、本構成を有していない場合と比較して、画像の転写対象となる記録材を搬送するための構成の簡易化を図るとともに、搬送される記録材の姿勢の安定化を図ることができる。
請求項８記載の発明によれば、本構成を有しない場合と比較して、例えば多色モードにおいて、転写位置に記録材が到達する前に、記録材を転写部材に把持させることが容易になる。
請求項９記載の発明によれば、本構成を有していない場合と比較して、より簡易な構成で、供給部材の位置を変えることができる。
【図面の簡単な説明】
【０００８】
【図１】実施の形態１に係る画像形成装置の第１態様（単色／多色兼用機）の一例を示す図である。
【図２】実施の形態１に係る画像形成装置の第２態様（単色専用機）の一例を示す図である。
【図３】第１態様の画像形成装置においてフルカラー画像を形成する『多色モード』における画像形成動作の一例を説明するためのタイミングチャートである。
【図４】第１態様の画像形成装置においてモノクロ画像を形成する『単色モード』における画像形成動作の一例を説明するためのタイミングチャートである。
【図５】第２態様の画像形成装置においてモノクロ画像を形成する『単色動作』における画像形成動作の一例を説明するためのタイミングチャートである。
【図６】実施の形態２に係る画像形成装置の第１状態の一例を示す図である。
【図７】実施の形態２に係る画像形成装置の第２状態の一例を示す図である。
【図８】実施の形態２の供給調整部における位置決め機構の構成の一例を示す図である。
【図９】実施の形態２においてフルカラー画像を形成する『多色モード』における画像形成動作の一例を説明するためのタイミングチャートである。
【図１０】実施の形態２においてモノクロ画像を形成する『単色モード』における画像形成動作の一例を説明するためのタイミングチャートである。
【発明を実施するための形態】
【０００９】
以下、添付図面を参照して、本発明の実施の形態について詳細に説明する。
＜実施の形態１＞
図１は、実施の形態１に係る画像形成装置１における第１態様の一例を示す図であり、図２は、この画像形成装置１における第２態様の一例を示す図である。この画像形成装置１は、画像形成装置１に取り付けられている複数のユニットの一部を、例えばサービスマンやユーザ等にて交換することで、単色画像に加えて多色画像を形成可能な単色／多色兼用機（図１に示す第１態様）となり、また、単色画像のみを形成可能な単色専用機（図２に示す第２態様）となる。なお、第１態様と第２態様との変換において、どのユニットを交換するのかについては後述する。
【００１０】
ではまず、図１を参照しつつ、第１態様すなわち単色／多色兼用機に設定された場合における画像形成装置１の構成を説明する。
第１態様に設定された画像形成装置１は、トナー像の形成を行う画像形成部１０と、画像形成部１０で形成されたトナー像を用紙Ｓに転写する第１転写部２０と、第１転写部２０によって用紙Ｓに転写されたトナー像を用紙Ｓに定着する定着部４０と、第１転写部２０に対しトナー像を転写するための用紙Ｓを供給する用紙供給部５０とを備えている。また、この画像形成装置１は、第１態様において、画像形成部１０、第１転写部２０、定着部４０および用紙供給部５０等の動作を制御する制御部１００をさらに備えている。ここで、画像形成装置１を構成する各部は、筐体２の内部に収容されており、この筐体２の上部には、定着部４０から排出された用紙Ｓを積載する排紙積載部３が設けられている。また、筐体２には、図１に示す左上方側において筐体２に対して開閉可能に設けられる上部開閉カバー２ａと、図１に示す右側において筐体２に対し開閉可能に設けられる側部開閉カバー２ｂとが設けられている。
【００１１】
第１態様において、画像形成部１０は、感光体ドラム１１と、この感光体ドラム１１を帯電する帯電装置１２と、帯電された感光体ドラム１１を露光する露光装置１３と、帯電および露光によって感光体ドラム１１に形成された静電潜像をトナーによって現像するロータリ現像装置１４と、現像されたトナー像を転写した後に感光体ドラム１１上に残ったトナー等を清掃する清掃装置１５とを備えている。
【００１２】
像保持体の一例としての感光体ドラム１１は、その表面に感光層（図示せず）が形成されるとともに回転軸１１ａを中心に矢印Ａ方向に回転駆動される。そして、帯電装置１２、露光装置１３、ロータリ現像装置１４および清掃装置１５は、感光体ドラム１１の周囲に、矢印Ａ方向に沿ってこの順番に配置される。ここで、感光体ドラム１１の外径は、例えば３０ｍｍとなっている。
【００１３】
帯電装置１２は、本実施の形態においては接触ローラ型の放電装置で構成されており、感光体ドラム１１とともに回転しながら感光体ドラム１１を帯電する。
露光装置１３は、帯電された感光体ドラム１１の表面に選択的に光照射を行うことで、静電潜像を形成する。なお、本実施の形態の露光装置１３は、感光体ドラム１１の軸方向に沿って複数の発光素子（例えばＬＥＤ）を配列した構成を有している。
【００１４】
第１画像形成部の一例としてのロータリ現像装置１４は、感光体ドラム１１の回転軸１１ａの軸方向に沿って延びる回転軸１４ａと、回転軸１４ａの周囲に配置されたイエロー（Ｙ）、マゼンタ（Ｍ）、シアン（Ｃ）、黒（Ｋ）の各現像器１４Ｙ、１４Ｍ、１４Ｃ、１４Ｋとを備えている。また、ロータリ現像装置１４は、回転軸１４ａを中心として矢印Ｃ方向に回転するように構成されており、感光体ドラム１１と対向する位置（以下の説明では現像位置という）に、いずれかの現像器が停止するようになっている。そして、ロータリ現像装置１４は、露光装置１３によって感光体ドラム１１上に形成された静電潜像を、現像位置に停止した現像器のトナーを用いて現像する。この例において、画像形成動作を開始する前のロータリ現像装置１４は、図１に示したように、黒の現像器１４Ｋを現像位置に配置した状態で静止している。なお、ロータリ現像装置１４の外径は、例えば１００ｍｍとなっている。
【００１５】
清掃装置１５は、感光体ドラム１１の表面に残ったトナーやトナー以外の付着物を除去する。本実施の形態の清掃装置１５は、ブレード式のクリーナで構成されている。
【００１６】
また、第１転写部２０は、感光体ドラム１１に対向し且つ感光体ドラム１１の回転軸１１ａの軸方向に沿って伸びる回転軸２１ａを中心に回転可能に配置される転写ドラム２１と、転写ドラム２１の外周面にて記録材の一例としての用紙Ｓの搬送方向先端側を把持する先端グリッパ２２と、同じく転写ドラム２１の外周面にて用紙Ｓの搬送方向後端側を把持する後端グリッパ２３と、回転する転写ドラム２１の位相を測定する位相センサ２５とを備えている。ここで、転写ドラム２１は、感光体ドラム１１との対向位置において、感光体ドラム１１の回転方向（矢印Ａ方向）と同じ向きとなる矢印Ｂ方向に回転駆動される。なお、転写ドラム２１の外径は、例えば１２０ｍｍとなっている。このように、本実施の形態では、転写ドラム２１の外径が、感光体ドラム１１の外径よりも大きく設定されている。
【００１７】
これらのうち、転写部材および第１転写部材の一例としての転写ドラム２１は、円筒形状を有し且つ回転軸２１ａが取り付けられる基部２１Ａと、この基部２１Ａの外周面に設けられた弾性層２１Ｂとを備えている。ここで、弾性層２１Ｂは、基部２１Ａの外周面のうち、基部２１Ａの軸方向に沿う一部領域を除く部位を覆うようになっている。すなわち、弾性層２１Ｂは、Ｃ字状の断面を有している。これにより、転写ドラム２１における基部２１Ａの外周面のうち、弾性層２１Ｂによって覆われない部位は、基部２１Ａが露出した露出部２１Ｃとなっている。また、弾性層２１Ｂの周方向の長さは、第１態様に設定された画像形成装置１で使用することが可能な最大サイズの用紙Ｓの長さよりも大きくなるように設定されている。
【００１８】
本実施の形態における基部２１Ａは導電性を有する中空管で構成され、例えば金属が用いられている。一方、弾性層２１Ｂは半導電性を有し且つ発泡層を含む弾性部材で構成され、例えば導電性物質を含有させたポリウレタン等の樹脂が用いられている。また、基部２１Ａには、高圧電源（図示せず）により、トナーとは逆極性の転写バイアスが印加されるようになっている。一方、感光体ドラム１１は接地されている。
なお、以下の説明においては、感光体ドラム１１と、転写ドラム２１とが対向する位置を、転写位置Ｔｒと称する。第１態様において、転写位置Ｔｒでは、感光体ドラム１１に設けられた感光層と転写ドラム２１に設けられた弾性層２１Ｂとが接触することにより、転写ニップ部が構成される。
【００１９】
また、先端グリッパ２２は、転写ドラム２１の外周面上のうち、露出部２１Ｃと弾性層２１Ｂの回転方向先端側とに跨る位置に、転写ドラム２１の回転軸２１ａに沿って設けられている。そして、先端グリッパ２２は、転写ドラム２１に対して取り付けられており、転写ドラム２１の回転に伴って先端グリッパ２２も回転するようになっている。
【００２０】
ここで、先端グリッパ２２は、転写ドラム２１にその回転軸２１ａに沿って設けられた軸（図示せず）を中心に回転する挟み部材を備えている。そして、この挟み部材が、軸を中心に正転および逆転することで、転写ドラム２１との間に用紙Ｓの進行方向先端側の端部（以下では用紙先端と称する）を把持し、また、その把持を解除するように構成されている。なお、以下の説明においては、転写ドラム２１に用紙Ｓを把持するときの先端グリッパ２２の状態を「閉」状態にあるといい、また、転写ドラム２１に用紙Ｓを把持しないときの先端グリッパ２２の状態を「開」状態にあるという。
【００２１】
一方、後端グリッパ２３は、転写ドラム２１の外周面上に、転写ドラム２１の回転軸２１ａに沿って設けられている。そして、後端グリッパ２３は、転写ドラム２１の回転軸２１ａに対して回転可能に取り付けられており、転写ドラム２１に対して独立して回転および停止することができるようになっている。これにより、本実施の形態では、転写ドラム２１の外周面上での先端グリッパ２２と後端グリッパ２３との位置関係（距離）が変えられるようになっている。
【００２２】
ここで、後端グリッパ２３は、転写ドラム２１の外周面に対し回転軸２１ａの軸方向に沿って伸びる帯状の押さえ部材を備えている。そして、この押さえ部材が、転写ドラム２１の外周面に対して進退することで、転写ドラム２１との間に用紙Ｓの進行方向後端側の端部（以下では用紙後端と称する）を把持し、また、その把持を解除するように構成されている。なお、以下の説明においては、転写ドラム２１に用紙Ｓを把持するときの後端グリッパ２３の状態を「閉」状態にあるといい、また、転写ドラム２１に用紙Ｓを把持しないときの後端グリッパ２３の状態を「開」状態にあるという。
【００２３】
さらに、位相センサ２５は、転写ドラム２１の外周面に対向して配置されており、転写ドラム２１の外周面に設けられたマーク（図示せず）を検知することで、回転する転写ドラム２１の位相を測定するようになっている。
【００２４】
さらにまた、第１転写部２０は、上述した転写ドラム２１、先端グリッパ２２、後端グリッパ２３および位相センサ２５を保持する転写ドラム用フレーム２６を有している。そして、第１転写部２０は、転写ドラム用フレーム２６により一体化したユニット（第１転写ユニットに対応）を構成している。なお、転写ドラム用フレーム２６の図中右下側には、図中右下方向に向かって突出する突出部２６ａが設けられている。
【００２５】
また、定着部４０は、加熱源（図示せず）を有し回転可能に設置される加熱ロール４１と、この加熱ロール４１に接触配置されて加熱ロール４１とともに定着ニップ部を形成する加圧ロール４２とを備えている。
【００２６】
さらに、用紙供給部５０は、転写ドラム２１の下方に配置されるとともに内部に用紙Ｓを収容する用紙収容部５１と、用紙収容部５１から用紙Ｓを取り出す取り出しロール５２と、取り出しロール５２によって取り出された用紙Ｓを、タイミングを合わせて下流側に供給する供給調整部５３とを備えている。
【００２７】
供給部材の一例としての供給調整部５３は、外部から回転駆動される第１供給ロール５３ａと、第１供給ロール５３ａに接触して搬送ニップを形成するとともに第１供給ロール５３ａの回転に伴って回転する第２供給ロール５３ｂと、これら第１供給ロール５３ａおよび第２供給ロール５３ｂを回転可能に支持する供給フレーム５３ｃとを有している。ここで、本実施の形態では、供給フレーム５３ｃが、第１供給ロール５３ａの回転軸を中心として、回転方向に移動できるように構成されている。その結果、本実施の形態では、第１供給ロール５３ａに対する第２供給ロール５３ｂの位置が変更できるようになっている。なお、以下の説明においては、供給調整部５３における第１供給ロール５３ａおよび第２供給ロール５３ｂの対向部位を供給ニップ部Ｎと称する。なお、本実施の形態では、第１供給ロール５３ａおよび第２供給ロール５３ｂが、一対の回転部材として機能している。
【００２８】
また、供給調整部５３に設けられた供給フレーム５３ｃのうち、第２供給ロール５３ｂの下側となる部位には、下方に向かう圧縮バネ７０の一端が取り付けられている。そして、この圧縮バネ７０の他端は、供給調整部５３の下方において筐体２内に固定されたバネ支持部２ｃに取り付けられている。これにより、供給調整部５３には、圧縮バネ７０により、第１供給ロール５３ａの回転軸を中心とし図中時計回り方向に向かう力がかかるようになっている。
【００２９】
これに対し、図１に示す第１態様においては、筐体２内に取り付けられた第１転写部２０の転写ドラム用フレーム２６に設けられた突出部２６ａが、供給調整部５３に設けられた供給フレーム５３ｃのうち、第２供給ロール５３ｂの上側となる部位に接触している。これにより、第１態様では、供給調整部５３が図１に示す状態で静止している。なお、以下の説明においては、図１に示す第１態様における供給調整部５３の停止位置を、第１供給位置Ｐａ（第１の位置に対応）と称する。
【００３０】
そして、図１に示す第１態様においては、供給調整部５３が第１供給位置Ｐａに配置されることにより、供給調整部５３から送られる用紙Ｓが、転写ドラム２１の外周面上の第１給紙位置Ｐ１に供給されるようになっている。なお、以下の説明では、第１態様において、用紙収容部５１から、第１供給位置Ｐａに配置された供給調整部５３を介して、転写ドラム２１の第１給紙位置Ｐ１に向かう用紙Ｓの搬送経路を第１給紙経路６１と称し、転写ドラム２１の外周面における用紙Ｓの搬送経路を回転経路６３と称し、転写位置Ｔｒから定着部４０を介して排紙積載部３に向かう用紙Ｓの搬送経路を排紙経路６４と称する。
【００３１】
また、第１態様において、画像形成動作を開始する前の後端グリッパ２３は、図１に示したように、転写ドラム２１の回転方向（矢印Ｂ方向）に対し、転写位置Ｔｒよりも上流側且つ第１給紙位置Ｐ１よりも下流側となる部位（待機位置）にて静止している。
【００３２】
さらに、本実施の形態では、画像形成装置１の筐体２に設けられた上部開閉カバー２ａを開状態に設定した場合に、画像形成装置１に対し第１転写部２０を着脱することが可能となっており、また、画像形成装置１の筐体２に設けられた側部開閉カバー２ｂを開状態に設定した場合に、画像形成装置１に対しロータリ現像装置１４を着脱することが可能となっている。そして、第１転写部２０を第２転写部３０（詳細は後述する）に交換し、且つ、ロータリ現像装置１４を単色現像器１６（詳細は後述する）に交換することで、図１に示す第１態様に設定された画像形成装置１は、図２に示す第２態様に設定された画像形成装置１となる。
【００３３】
続いて、図２を参照しつつ、第２態様すなわち単色専用機に設定された場合における画像形成装置１の構成を説明する。
第２態様に設定された画像形成装置１は、画像形成部１０、定着部４０および用紙供給部５０の構成については第１態様からの変更がない一方で、第１態様において設けられていたロータリ現像装置１４に代わる単色現像器１６と、第１態様において設けられていた第１転写部２０に代わる第２転写部３０とを備えている。したがって、第２態様における画像形成部１０は、感光体ドラム１１と、帯電装置１２と、露光装置１３と、単色現像器１６と、清掃装置１５とを備えていることになる。また、第２態様において、制御部１００は、画像形成部１０、第２転写部３０、定着部４０および用紙供給部５０等の動作を制御することになる。
【００３４】
第２画像形成部の一例としての単色現像器１６は、上述したロータリ現像装置１４とは異なり、感光体ドラム１１と対向する現像位置に固定されている。そして、単色現像器１６は、露光装置１３によって感光体ドラム１１上に形成された静電潜像を、内蔵するトナーを用いて現像する。なお、単色現像器１６に内蔵されるトナーの色について特に決まりはないが、通常は黒である。
【００３５】
また、第２転写部３０は、感光体ドラム１１に対向し且つ感光体ドラム１１の回転軸１１ａの軸方向に沿って伸びる回転軸３１ａを中心に回転可能に配置される転写ロール３１を備える。ここで、転写部材および第２転写部材の一例としての転写ロール３１は、感光体ドラム１１との対向位置において、転写ドラム２１と同様に、感光体ドラム１１の回転方向（矢印Ａ方向）と同じ向きとなる矢印Ｂ方向に回転する。ただし、転写ロール３１は、上述した転写ドラム２１とは異なり、独自の駆動源をもたず、感光体ドラム１１からの駆動力を受けて従動回転するようになっている。なお、転写ロール３１の外径は、例えば１５ｍｍとなっている。このように、本実施の形態では、転写ロール３１の外径が、転写ドラム２１の外径よりも小さく、しかも、感光体ドラム１１の外径よりも小さく設定されている。そして、転写ロール３１の周長は、第２態様に設定された画像形成装置１で使用することが可能な最大サイズの用紙Ｓの長さよりも小さくなるように設定されている。
【００３６】
本実施の形態において、転写ロール３１としては、例えばカーボンを分散した発泡ウレタンゴムロールの表面にフッ素コートを施したものが用いられており、その体積抵抗率は１０3〜１０10Ω・ｃｍの範囲内に設定される。ここで、転写ロール３１は、転写ドラム２１とは異なり、外周面がすべて覆われることにより、円形状の断面を有している。この転写ロール３１には、上述した転写ドラム２１と同様、高圧電源（図示せず）により、トナーとは逆極性の転写バイアスが印加されるようになっている。
また、転写ロール３１は、上述した転写ドラム２１の場合と同じ転写位置Ｔｒにて感光体ドラム１１に対向するように配置されている。第２態様において、転写位置Ｔｒでは、感光体ドラム１１に設けられた感光層と転写ロール３１とが接触することにより、転写ニップ部が構成される。
【００３７】
さらに、第２転写部３０は、上述した転写ロール３１を保持する転写ロール用フレーム３２を有している。そして、第２転写部３０は、転写ロール用フレーム３２により一体化したユニット（第２転写ユニットに対応）を構成している。なお、第２転写部３０は、上述した第１転写部２０とは異なり、転写ロール３１に用紙Ｓを把持させるための機構（先端グリッパ２２や後端グリッパ２３に対応するもの）を備えていない。
【００３８】
ここで、図２に示す第２態様においては、筐体２内に取り付けられた第２転写部３０の転写ロール用フレーム３２が、供給調整部５３に設けられた供給フレーム５３ｃに接触しない。これにより、第２態様では、供給フレーム５３ｃが、圧縮バネ７０から受ける力により、図１に示す第１供給位置Ｐａから図中時計回り方向に回転し、筐体２に設けられた規制部材（図示せず）に接触する。これにより、第２態様では、供給調整部５３が図２に示す状態で静止している。なお、以下の説明においては、図２に示す第２態様における供給調整部５３の停止位置を、第２供給位置Ｐｂ（第２の位置に対応）と称する。そして、本実施の形態では、第１転写部２０、第２転写部３０、供給調整部５３および圧縮バネ７０、図示しない規制部材等が、設定手段として機能している。
【００３９】
そして、図２に示す第２態様においては、供給調整部５３が第２供給位置Ｐｂに配置されることにより、供給調整部５３から送られる用紙Ｓが、転写ロール３１の外周面上の第２給紙位置Ｐ２に供給されるようになっている。なお、以下の説明では、第２態様において、用紙収容部５１から、第２供給位置Ｐｂに配置された供給調整部５３を介して、転写ロール３１の第２給紙位置Ｐ２（および転写位置Ｔｒ）に向かう用紙Ｓの搬送経路を第２給紙経路６２と称する。また、第２態様において、転写位置Ｔｒから定着部４０を介して排紙積載部３に向かう搬送経路は、上述した第１態様と同じく、排紙経路６４となる。
【００４０】
ここで、図１に示す第１態様に設定された画像形成装置１と、図２に示す第２態様に設定された画像形成装置１とを比較すると、第１態様において第１給紙位置Ｐ１から転写位置Ｔｒに至る用紙Ｓの搬送経路は、第２態様において第２給紙位置Ｐ２から転写位置Ｔｒに至る用紙Ｓの搬送経路よりも、距離が長くなっている。したがって、転写位置Ｔｒを基準として転写位置Ｔｒよりも用紙搬送方向上流側となる用紙Ｓの搬送経路をみたとき、第１態様における第１給紙位置Ｐ１は、第２態様における第２給紙位置Ｐ２に比べて、より遠い位置となっている。
【００４１】
本実施の形態では、画像形成装置１に第１転写部２０が装着された場合に、供給調整部５３が第１供給位置Ｐａに位置決めされ、また、画像形成装置１に第２転写部３０が装着された場合に、供給調整部５３が第２供給位置Ｐｂに位置決めされる。ここで、本実施の形態では、画像形成装置１に対する第１転写部２０の装着に伴って、供給調整部５３に第１転写部２０が突き当たる一方、また、画像形成装置１に対する第２転写部３０の装着に伴って、供給調整部５３に第２転写部３０が突き当たらないことを利用して、供給調整部５３の位置決めを行うようにした。ただし、供給調整部５３の位置決め手法については、これに限られるものでなく、例えば図示しないリンク機構等を用いて、画像形成装置１に第１転写部２０が装着されたときと第２転写部３０が装着されたときとで、供給調整部５３の取り付け位置（取り付け角度）を変更するものであってもよい。また、例えば図示しないセンサ等を用いて、画像形成装置１に第１転写部２０が装着されたのかあるいは第２転写部３０が装着されたのかを検出し、この検出結果に基づいて、供給調整部５３の取り付け位置（取り付け角度）を変更するようにしてもかまわない。すなわち、画像形成装置１に対する第１転写部２０あるいは第２転写部３０の装着に連動して、供給調整部５３の位置決めを行うものであればよい。
【００４２】
では次に、本実施の形態の画像形成装置１による画像形成動作について説明を行う。なお、図１に示す第１態様に設定された画像形成装置１では、イエロー、マゼンタ、シアンおよび黒のうち、２色乃至４色のトナーを用いて１枚の用紙Ｓに多色画像を形成する動作と、イエロー、マゼンタ、シアンおよび黒のうち、１色のトナーを用いて１枚の用紙Ｓに単色画像を形成する動作とが実行可能である。以下では、前者を『多色モード』と呼び、後者を『単色モード』と呼ぶ。そして、ここでは、『多色モード』のうち、４色のトナーを用いて１枚の用紙Ｓにフルカラー画像を形成する場合を例とし、また、『単色モード』のうち、黒のトナーを用いて１枚の用紙Ｓにモノクロ画像を形成する場合を例とする。一方、図２に示す第２態様に設定された画像形成装置１では、１色のトナーを用いて１枚の用紙Ｓに単色画像を形成する動作のみが実行可能である。以下では、これを『単色動作』と呼ぶ。そして、ここでは『単色動作』のうち、黒のトナーを用いて１枚の用紙Ｓにモノクロ画像を形成する場合を例とする。
【００４３】
以下、第１態様に設定された画像形成装置１における『多色モード』および『単色モード』、そして、第２態様に設定された画像形成装置１における『単色動作』、のそれぞれについて具体的に説明する。なお、以下に説明する各例では、画像の形成対象となる用紙Ｓの大きさおよび向きが、すべて同じであるものとする。
【００４４】
ここで、『多色モード』、『単色モード』および『単色動作』のすべてにおいて、矢印Ａ方向に回転する感光体ドラム１１の周速度を感光体周速度Ｖｐと呼び、回転する一対の供給ロール（第１供給ロール５３ａ、第２供給ロール５３ｂ）の周速度を供給周速度Ｖｓと呼ぶ。また、『多色モード』および『単色モード』の両者において、矢印Ｂ方向に回転する転写ドラム２１の周速度、そして、『単色動作』において、矢印Ｂ方向に回転する転写ロール３１の周速度を、ともに転写周速度Ｖｔと呼ぶ。なお、『多色モード』および『単色モード』の両者においては、転写周速度Ｖｔが感光体周速度Ｖｐよりも１％未満程度だけ高速に設定され、供給周速度Ｖｓが転写周速度Ｖｔよりも１％未満程度だけ高速に設定される。したがって、『多色モード』および『単色モード』の両者においては、Ｖｐ＜Ｖｔ＜Ｖｓの関係が成立する。一方、『単色動作』においては、転写ロール３１が感光体ドラム１１に従動して回転し、供給周速度Ｖｓが感光体周速度Ｖｐよりも１％未満程度だけ高速に設定される。したがって、『単色動作』においては、Ｖｐ≒Ｖｔ＜Ｖｓの関係が成立する。
【００４５】
［多色モード］
図３は、図１に示す第１態様にセットされた単色／多色兼用機としての画像形成装置１を用い、１枚の用紙Ｓ上にイエロー、マゼンタ、シアンおよび黒の４色を含むフルカラー画像を形成する、『多色モード』におけるタイミングチャートの一例を示している。
【００４６】
ここで、図３は、時間の経過と、（ａ）感光体ドラム１１の駆動（ＯＮ／ＯＦＦ）と、（ｂ）現像位置に配置される現像器と、（ｃ）供給調整部５３の位置（第１供給位置Ｐａ／第２供給位置Ｐｂ）と、（ｄ）転写ドラム２１の駆動（ＯＮ／ＯＦＦ）と、（ｅ）転写ドラム２１に対する転写バイアスの印加（ＯＮ／ＯＦＦ）と、（ｆ）先端グリッパ２２の状態（開／閉）と、（ｇ）後端グリッパ２３の状態（開／閉）と、（ｈ）後端グリッパ２３の駆動（ＯＮ／ＯＦＦ）と、（ｉ）供給ロール（第１供給ロール５３ａ）の駆動（ＯＮ／ＯＦＦ）と、（ｊ）供給ニップ部Ｎを通過する用紙Ｓと、（ｋ）第１給紙位置Ｐ１を通過する用紙Ｓと、（ｍ）転写位置Ｔｒを通過する用紙Ｓと、（ｎ）転写位置Ｔｒを通過する感光体ドラム１１上の画像との関係を示している。
【００４７】
また、図３において、「Ｙ」、「Ｍ」、「Ｃ」、「Ｋ」は、それぞれイエロー、マゼンタ、シアン、黒に対応している。さらに、図３において、「１ｓｔ」、「２ｎｄ」、「３ｒｄ」、「４ｔｈ」は、同一の用紙Ｓが、転写ドラム２１の外周面における第１給紙位置Ｐ１および転写位置Ｔｒを通過する回数を示している。したがって、例えば図３（ｍ）に示す「転写位置通過用紙」における「Ｓ（２ｎｄ）」は、一度転写位置Ｔｒを通過した用紙Ｓが、再び（２度目に）転写位置Ｔｒを通過していることを意味するものとなっている。
【００４８】
さらに、多色モードによるフルカラーの画像形成動作が開始される前の初期状態では、感光体ドラム１１、転写ドラム２１、そして第１供給ロール５３ａの駆動が、すべてＯＦＦになっている。また、初期状態では、転写ドラム２１に対する転写バイアスの供給もＯＦＦになっている。さらに、初期状態では、先端グリッパ２２および後端グリッパ２３が、ともに開状態に設定されている。さらにまた、第１態様ではロータリ現像装置１４が取り付けられており、初期状態では黒の現像器１４Ｋが現像位置に配置された状態で停止している（図１参照）。また、第１態様における初期状態では、後端グリッパ２３が待機位置に配置された状態で停止している（図１参照）。そして、第１態様では第１転写部２０が取り付けられていることにより、供給調整部５３が第１供給位置Ｐａに配置された状態で停止している（図１参照）。
【００４９】
多色モードでの画像形成動作の開始に伴い、制御部１００は、感光体ドラム１１および転写ドラム２１の駆動をＯＦＦからＯＮに切り替えることで、感光体ドラム１１を感光体周速度Ｖｐで、また、転写ドラム２１を転写周速度Ｖｔで、それぞれ回転させる。このとき、感光体ドラム１１および転写ドラム２１は、互いに接触した状態で転写位置Ｔｒにおいて同じ方向に回転する。
【００５０】
次に、制御部１００は、ロータリ現像装置１４を回転させ、現像位置にイエローの現像器１４Ｙを配置させる。そして、制御部１００は、帯電装置１２、露光装置１３および現像位置にある現像器（ここではイエローの現像器１４Ｙ）を駆動させる。これに伴い、回転する感光体ドラム１１の感光層が帯電装置１２によって帯電された後、露光装置１３による露光が行われることにより、感光体ドラム１１には静電潜像が形成される。続いて、感光体ドラム１１上に形成された静電潜像がイエローの現像器１４Ｙによって現像され、感光体ドラム１１上には静電潜像に対応したイエローのトナー像が形成される。その後、感光体ドラム１１上に形成されたイエローのトナー像は、感光体ドラム１１の更なる回転に伴い、転写位置Ｔｒに向かって移動していく。
【００５１】
一方、多色モードでの画像形成動作の開始に対応して、制御部１００は用紙供給部５０から用紙Ｓの供給を行わせる。より具体的に説明すると、制御部１００は、用紙収容部５１に収容された用紙Ｓを、取り出しロール５２によって取り出すことで第１給紙経路６１内に進入させる。このとき、制御部１００は、第１供給ロール５３ａの駆動をＯＦＦのままとしており、第１給紙経路６１内に進入してきた用紙Ｓの用紙先端は、第１供給位置Ｐａにセットされた供給調整部５３における供給ニップ部Ｎの入口側に突き当たった状態で停止し、この用紙Ｓの斜行補正がなされる。そして、制御部１００は、回転する転写ドラム２１に取り付けられた先端グリッパ２２が第１給紙位置Ｐ１に到達する際に、この用紙Ｓの用紙先端が第１給紙位置Ｐ１に到達するように、第１供給ロール５３ａの駆動をＯＦＦからＯＮに切り替えることで、第１供給ロール５３ａおよび第２供給ロール５３ｂを供給周速度Ｖｓで回転させる。これに伴い、用紙Ｓの供給が再開され、用紙Ｓは供給ニップ部Ｎを通過しつつ、第１給紙経路６１を介して第１給紙位置Ｐ１に到達する。そして、制御部１００は、用紙Ｓの用紙先端が第１給紙位置Ｐ１に到達するのに合わせて、先端グリッパ２２を開状態から閉状態へと移行させる。これにより、用紙Ｓの用紙先端は、転写ドラム２１に機械的に把持される。このとき、用紙Ｓの用紙先端側は、転写ドラム２１の弾性層２１Ｂに巻き付いた状態で回転経路６３に沿って搬送され、この用紙Ｓの用紙後端側は、第１供給ロール５３ａおよび第２供給ロール５３ｂによる供給ニップ部Ｎにてニップされた状態で、第１給紙経路６１に沿って搬送されることになる。
【００５２】
次に、先端グリッパ２２によって転写ドラム２１に把持された用紙Ｓの用紙先端は、第１給紙位置Ｐ１を通過し且つ待機位置にて停止状態を維持する後端グリッパ２３をくぐり抜けた後、転写位置Ｔｒに到達する（１回目）。このとき、制御部１００は、転写ドラム２１に把持された用紙Ｓの用紙先端が転写位置Ｔｒに到達するのに合わせて、感光体ドラム１１上のイエローのトナー像の形成領域の移動方向先端が転写位置Ｔｒに到達するように、位相センサ２５からの位相信号に基づいて露光装置１３の制御を行っている。そして、制御部１００は、用紙Ｓの用紙先端が転写位置Ｔｒに到達するのに合わせて、転写ドラム２１に印加する転写バイアスをＯＦＦからＯＮに切り替える。これにより、転写位置Ｔｒでは、用紙Ｓに対するイエローのトナー像の転写（１色目）が開始される。
【００５３】
また、この例では、用紙Ｓの用紙先端が転写位置Ｔｒに到達した後、この用紙Ｓの用紙後端が供給ニップ部Ｎを通過し、さらに第１給紙位置Ｐ１も通過する。このとき、制御部１００は、用紙Ｓの用紙後端が供給ニップ部Ｎを通過した後に、第１供給ロール５３ａの駆動をＯＮからＯＦＦに切り替えることで、第１供給ロール５３ａおよび第２供給ロール５３ｂの回転を停止させる。そして、制御部１００は、この用紙Ｓの用紙後端が、待機位置で停止している後端グリッパ２３との対向部に到達するのに合わせて、後端グリッパ２３を開状態から閉状態へと移行させ、且つ、後端グリッパ２３を、転写ドラム２１と同じ方向に同じ転写周速度Ｖｔで回転させる。これにより、用紙Ｓの用紙後端は、転写ドラム２１に機械的に把持される。これに伴い、この用紙Ｓは、その用紙先端が先端グリッパ２２によって、また、その用紙後端が後端グリッパ２３によって、それぞれ把持されることになる。その結果、用紙Ｓの全体が、転写ドラム２１の弾性層２１Ｂに巻き付いた状態で、回転経路６３に沿って搬送されることになる。
【００５４】
さらに、この例では、用紙Ｓの用紙後端が第１給紙位置Ｐ１に到達した後、この用紙Ｓに対応するイエローのトナー像の現像が終了する。また、これに続いて、転写ドラム２１に把持された用紙Ｓの用紙後端が転写位置Ｔｒを通過する。そして、制御部１００は、用紙Ｓの用紙後端が転写位置Ｔｒを通過するのに合わせて、転写ドラム２１に印加する転写バイアスをＯＮからＯＦＦに切り替える。これにより、用紙Ｓに対するイエローのトナー像の転写を終了する。また、この例では、用紙Ｓに対するイエローのトナー像の転写が終了するのに伴って、制御部１００がロータリ現像装置１４を駆動させ、現像位置に配置された現像器の切り替え（イエローの現像器１４Ｙからマゼンタの現像器１４Ｍへの切り替え）を行う。そして、制御部１００は、感光体ドラム１１に対するマゼンタのトナー像の形成を開始させる。
【００５５】
ここで、転写ドラム２１に転写バイアスが印加されている期間において、転写位置Ｔｒを、感光体ドラム１１に形成されたイエローの画像（図３（ｎ）に示すＹ）が通過することになり、また、用紙Ｓが１回目の通過を行う（図３（ｍ）に示すＳ（１ｓｔ））ことになる。
【００５６】
転写ドラム２１の回転に伴って転写ドラム２１の露出部２１Ｃが転写位置Ｔｒを通過した後、転写ドラム２１に把持されることで回転経路６３内を移動する用紙Ｓの用紙先端が転写位置Ｔｒに到達する（２回目）。このとき、制御部１００は、転写ドラム２１に把持された用紙Ｓの用紙先端が転写位置Ｔｒに到達するのに合わせて、感光体ドラム１１上のマゼンタのトナー像の形成領域の移動方向先端が転写位置Ｔｒに到達するように、位相センサ２５からの位相信号に基づいて露光装置１３およびロータリ現像装置１４の制御を行っている。そして、制御部１００は、用紙Ｓの用紙先端が転写位置Ｔｒに到達するのに合わせて、転写ドラム２１に印加する転写バイアスをＯＦＦからＯＮに切り替える。これにより、転写位置Ｔｒでは、用紙Ｓに対するマゼンタのトナー像の転写（２色目）が開始される。
【００５７】
また、この例では、用紙Ｓの用紙後端が第１給紙位置Ｐ１に到達した後、この用紙Ｓに対応するマゼンタのトナー像の現像が終了する。また、これに続いて、転写ドラム２１に把持された用紙Ｓの用紙後端が転写位置Ｔｒを通過する。そして、制御部１００は、用紙Ｓの用紙後端が転写位置Ｔｒを通過するのに合わせて、転写ドラム２１に印加する転写バイアスをＯＮからＯＦＦに切り替える。これにより、用紙Ｓに対するマゼンタのトナー像の転写を終了する。また、この例では、用紙Ｓに対するマゼンタのトナー像の転写が終了するのに伴って、制御部１００がロータリ現像装置１４を駆動させ、現像位置に配置された現像器の切り替え（マゼンタの現像器１４Ｍからシアンの現像器１４Ｃへの切り替え）を行う。そして、制御部１００は、感光体ドラム１１に対するシアンのトナー像の形成を開始させる。
【００５８】
ここで、転写ドラム２１に転写バイアスが印加されている期間において、転写位置Ｔｒを、感光体ドラム１１に形成されたマゼンタの画像（図３（ｎ）に示すＭ）が通過することになり、また、用紙Ｓが２回目の通過を行う（図３（ｍ）に示すＳ（２ｎｄ））ことになる。
【００５９】
転写ドラム２１の回転に伴って転写ドラム２１の露出部２１Ｃが転写位置Ｔｒを通過した後、転写ドラム２１に把持されることで回転経路６３内を移動する用紙Ｓの用紙先端が転写位置Ｔｒに到達する（３回目）。このとき、制御部１００は、転写ドラム２１に把持された用紙Ｓの用紙先端が転写位置Ｔｒに到達するのに合わせて、感光体ドラム１１上のシアンのトナー像の形成領域の移動方向先端が転写位置Ｔｒに到達するように、位相センサ２５からの位相信号に基づいて露光装置１３およびロータリ現像装置１４の制御を行っている。そして、制御部１００は、用紙Ｓの用紙先端が転写位置Ｔｒに到達するのに合わせて、転写ドラム２１に印加する転写バイアスをＯＦＦからＯＮに切り替える。これにより、転写位置Ｔｒでは、用紙Ｓに対するシアンのトナー像の転写（３色目）が開始される。
【００６０】
また、この例では、用紙Ｓの用紙後端が第１給紙位置Ｐ１に到達した後、この用紙Ｓに対応するシアンのトナー像の現像が終了する。また、これに続いて、転写ドラム２１に把持された用紙Ｓの用紙後端が転写位置Ｔｒを通過する。そして、制御部１００は、用紙Ｓの用紙後端が転写位置Ｔｒを通過するのに合わせて、転写ドラム２１に印加する転写バイアスをＯＮからＯＦＦに切り替える。これにより、用紙Ｓに対するシアンのトナー像の転写を終了する。また、この例では、用紙Ｓに対するシアンのトナー像の転写が終了するのに伴って、制御部１００がロータリ現像装置１４を駆動させ、現像位置に配置された現像器の切り替え（シアンの現像器１４Ｃから黒の現像器１４Ｋへの切り替え）を行う。そして、制御部１００は、感光体ドラム１１に対する黒のトナー像の形成を開始させる。
【００６１】
ここで、転写ドラム２１に転写バイアスが印加されている期間において、転写位置Ｔｒを、感光体ドラム１１に形成されたシアンの画像（図３（ｎ）に示すＣ）が通過することになり、また、用紙Ｓが３回目の通過を行う（図３（ｍ）に示すＳ（３ｒｄ））ことになる。
【００６２】
転写ドラム２１の回転に伴って転写ドラム２１の露出部２１Ｃが転写位置Ｔｒを通過した後、転写ドラム２１に把持されることで回転経路６３内を移動する用紙Ｓの用紙先端が転写位置Ｔｒに到達する（４回目）。このとき、制御部１００は、転写ドラム２１に把持された用紙Ｓの用紙先端が転写位置Ｔｒに到達するのに合わせて、感光体ドラム１１上の黒のトナー像の形成領域の移動方向先端が転写位置Ｔｒに到達するように、位相センサ２５からの位相信号に基づいて露光装置１３およびロータリ現像装置１４の制御を行っている。そして、制御部１００は、用紙Ｓの用紙先端が転写位置Ｔｒに到達するのに合わせて、転写ドラム２１に印加する転写バイアスをＯＦＦからＯＮに切り替える。これにより、転写位置Ｔｒでは、用紙Ｓに対する黒のトナー像の転写（４色目）が開始される。
【００６３】
また、この例では、用紙Ｓの用紙先端が転写位置Ｔｒに到達するのに合わせて、制御部１００が、先端グリッパ２２を閉状態から開状態へと移行させる。これにより、用紙Ｓの用紙先端の把持が解除されることとなり、転写位置Ｔｒを通過した用紙Ｓは回転経路６３から離れ、排紙経路６４に沿って定着部４０に向けて移動していく。この用紙Ｓが定着部４０の定着ニップ部を通過していくことにより、用紙Ｓに重ね転写されたフルカラートナー像は、用紙Ｓに定着される。
【００６４】
そして、この例では、用紙Ｓの用紙後端が第１給紙位置Ｐ１に到達した後、この用紙Ｓに対応する黒のトナー像の現像が終了する。また、これに続いて、用紙Ｓの用紙後端が待機位置に到達するのに合わせて、制御部１００は、後端グリッパ２３を閉状態から開状態へと移行させ、且つ、後端グリッパ２３の回転を停止させる。これにより、用紙Ｓの用紙後端の把持が解除され、後端グリッパ２３は再び待機位置で停止することになる。そして、制御部１００は、用紙Ｓの用紙後端が転写位置Ｔｒに到達するのに合わせて、転写ドラム２１に印加する転写バイアスをＯＮからＯＦＦに切り替える。これにより、用紙Ｓに対する黒のトナー像の転写を終了する。
その後、用紙Ｓは、定着部４０を通過し、排紙経路６４を介して排紙積載部３に積載される。
【００６５】
ここで、転写ドラム２１に転写バイアスが印加されている期間において、転写位置Ｔｒを、感光体ドラム１１に形成された黒の画像（図３（ｎ）に示すＫ）が通過することになり、また、第２用紙Ｓ２が４回目の通過を行う（図３（ｍ）に示すＳ（４ｔｈ））ことになる。
【００６６】
［単色モード］
図４は、図１に示す第１態様にセットされた単色／多色兼用機としての画像形成装置１を用い、１枚の用紙Ｓ上に黒のモノクロ画像を形成する、『単色モード』におけるタイミングチャートの一例を示している。なお、図４に示す各符号、各構成要素の前提条件および初期状態は、図３を用いて説明した『多色モード』と同じである。
【００６７】
単色モードでの画像形成動作の開始に伴い、制御部１００は、感光体ドラム１１および転写ドラム２１の駆動をＯＦＦからＯＮに切り替えることで、感光体ドラム１１を感光体周速度Ｖｐで、また、転写ドラム２１を転写周速度Ｖｔで、それぞれ回転させる。このとき、感光体ドラム１１および転写ドラム２１は、互いに接触した状態で転写位置Ｔｒにおいて同じ方向に回転する。
【００６８】
また、単色モードにおいて黒の画像を形成する場合、制御部１００は、現像位置に黒の現像器１４Ｋが停止しているロータリ現像装置１４を回転させることなく、帯電装置１２、露光装置１３および現像位置にある現像器（ここでは黒の現像器１４Ｋ）を駆動させる。これに伴い、回転する感光体ドラム１１の感光層が帯電装置１２によって帯電された後、露光装置１３による露光が行われることにより、感光体ドラム１１には静電潜像が形成される。続いて、感光体ドラム１１上に形成された静電潜像が黒の現像器１４Ｋによって現像され、感光体ドラム１１上には静電潜像に対応した黒のトナー像が形成される。その後、感光体ドラム１１上に形成された黒のトナー像は、感光体ドラム１１の更なる回転に伴い、転写位置Ｔｒに向かって移動していく。
【００６９】
一方、単色モードでの画像形成動作の開始に対応して、制御部１００は用紙供給部５０から用紙Ｓの供給を行わせる。より具体的に説明すると、制御部１００は、第１供給ロール５３ａの駆動をＯＦＦのままとしており、第１給紙経路６１内に進入してきた用紙Ｓの用紙先端は、第１供給位置Ｐａにセットされた供給調整部５３における供給ニップ部Ｎの入口側に突き当たった状態で停止し、この用紙Ｓの斜行補正がなされる。そして、制御部１００は、回転する転写ドラム２１に取り付けられた先端グリッパ２２が第１給紙位置Ｐ１に到達する際に、この用紙Ｓの用紙先端が第１給紙位置Ｐ１に到達するように、第１供給ロール５３ａの駆動をＯＦＦからＯＮに切り替えることで、第１供給ロール５３ａおよび第２供給ロール５３ｂを供給周速度Ｖｓで回転させる。これに伴い、用紙Ｓの供給が再開され、用紙Ｓは供給ニップ部Ｎを通過しつつ、第１給紙経路６１を介して第１給紙位置Ｐ１に到達する。そして、制御部１００は、用紙Ｓの用紙先端が第１給紙位置Ｐ１に到達するのに合わせて、先端グリッパ２２を開状態から閉状態へと移行させる。これにより、用紙Ｓの用紙先端は、転写ドラム２１に機械的に把持される。このとき、用紙Ｓの用紙先端側は、転写ドラム２１の弾性層２１Ｂに巻き付いた状態で回転経路６３に沿って搬送され、この用紙Ｓの用紙後端側は、第１供給ロール５３ａおよび第２供給ロール５３ｂによる供給ニップ部Ｎにてニップされた状態で、第１給紙経路６１に沿って搬送されることになる。
【００７０】
次に、先端グリッパ２２によって転写ドラム２１に把持された用紙Ｓの用紙先端は、第１給紙位置Ｐ１を通過し且つ待機位置にて停止状態を維持する後端グリッパ２３をくぐり抜けた後、転写位置Ｔｒに到達する（１回目）。このとき、制御部１００は、転写ドラム２１に把持された用紙Ｓの用紙先端が転写位置Ｔｒに到達するのに合わせて、感光体ドラム１１上の黒のトナー像の形成領域の移動方向先端が転写位置Ｔｒに到達するように、位相センサ２５からの位相信号に基づいて露光装置１３の制御を行っている。そして、制御部１００は、用紙Ｓの用紙先端が転写位置Ｔｒに到達するのに合わせて、転写ドラム２１に印加する転写バイアスをＯＦＦからＯＮに切り替える。これにより、転写位置Ｔｒでは、用紙Ｓに対する黒のトナー像の転写（１色目）が開始される。
【００７１】
また、この例では、用紙Ｓの用紙先端が転写位置Ｔｒに到達するのに合わせて、制御部１００が、先端グリッパ２２を閉状態から開状態へと移行させる。これにより、用紙Ｓの用紙先端の把持が解除されることとなり、転写位置Ｔｒを通過した用紙Ｓは回転経路６３から離れ、排紙経路６４に沿って定着部４０に向けて移動していく。この用紙Ｓが定着部４０の定着ニップ部を通過していくことにより、用紙Ｓに転写された黒のトナー像は、用紙Ｓに定着される。
【００７２】
さらに、この例では、用紙Ｓの用紙先端が転写位置Ｔｒに到達した後、この用紙Ｓの用紙後端が供給ニップ部Ｎを通過し、さらに第１給紙位置Ｐ１も通過する。このとき、制御部１００は、用紙Ｓの用紙後端が供給ニップ部Ｎを通過した後に、第１供給ロール５３ａの駆動をＯＮからＯＦＦに切り替えることで、第１供給ロール５３ａおよび第２供給ロール５３ｂの回転を停止させる。その後、用紙Ｓの後端は、待機位置で停止している後端グリッパ２３との対向部を通過するが、単色モードにおいて、制御部１００は、後端グリッパ２３を開状態のままに維持させる。
【００７３】
さらにまた、この例では、用紙Ｓの用紙後端が第１給紙位置Ｐ１に到達した後、この用紙Ｓに対応する黒のトナー像の現像が終了する。また、これに続いて、用紙Ｓの用紙後端が転写位置Ｔｒを通過する。そして、制御部１００は、用紙Ｓの用紙後端が転写位置Ｔｒを通過するのに合わせて、転写ドラム２１に印加する転写バイアスをＯＮからＯＦＦに切り替える。これにより、用紙Ｓに対する黒のトナー像の転写を終了する。また、この例では、用紙Ｓに対する黒のトナー像の転写が終了しても、制御部１００は、現像位置に黒の現像器１４Ｋを停止させたままとする。
その後、用紙Ｓは、定着部４０を通過し、排紙経路６４を介して排紙積載部３に積載される。
【００７４】
ここで、転写ドラム２１に転写バイアスが印加されている期間において、転写位置Ｔｒを、感光体ドラム１１に形成された黒の画像（図４（ｎ）に示すＫ）が通過することになり、また、用紙Ｓが１回目の通過を行う（図４（ｍ）に示すＳ（１ｓｔ））ことになる。
【００７５】
このように、単色モードでは、多色モードとは異なり、ロータリ現像装置１４の回転による現像器の交換、後端グリッパ２３による用紙Ｓの把持および後端グリッパ２３の回転駆動を行わない。
【００７６】
［単色動作］
図５は、図２に示す第２態様にセットされた単色専用機としての画像形成装置１を用い、１枚の用紙Ｓ上に黒のモノクロ画像を形成する『単色動作』におけるタイミングチャートの一例を示している。
【００７７】
ここで、図５は、時間の経過と、（ａ）感光体ドラム１１の駆動（ＯＮ／ＯＦＦ）と、（ｂ）現像位置に配置される現像器と、（ｃ）供給調整部５３の位置（第１供給位置Ｐａ／第２供給位置Ｐｂ）と、（ｅ）転写ロール３１に対する転写バイアスの印加（ＯＮ／ＯＦＦ）と、（ｉ）供給ロール（第１供給ロール５３ａ）の駆動（ＯＮ／ＯＦＦ）と、（ｊ）供給ニップ部Ｎを通過する用紙Ｓと、（ｌ）第２給紙位置Ｐ２を通過する用紙Ｓと、（ｍ）転写位置Ｔｒを通過する用紙Ｓと、（ｎ）転写位置Ｔｒを通過する感光体ドラム１１上の画像との関係を示している。なお、図３および図４に対する図５の相違点は、転写ドラム２１に代えて転写ロール３１が設けられているために、（ｄ）転写ドラム２１の駆動、（ｆ）先端グリッパ２２の状態、（ｇ）後端グリッパ２３の状態、（ｈ）後端グリッパ２３の駆動が存在しないこと、（ｅ）転写バイアスが、転写ドラム２１ではなく転写ロール３１に供給されるものであること、そして、（ｋ）第１給紙位置Ｐ１を通過する用紙Ｓに代えて、（ｌ）第２給紙位置Ｐ２を通過する用紙Ｓを記載したこと、である。
【００７８】
また、単色によるモノクロの画像形成動作が開始される前の初期状態では、感光体ドラム１１および第１供給ロール５３ａの駆動がＯＦＦになっている。また、初期状態では、転写ロール３１に対する転写バイアスの供給もＯＦＦになっている。さらに、第２態様では、黒のトナーを内蔵する単色現像器１６が常に現像位置に配置される（図２参照）。そして、第２態様では、第２転写部３０が取り付けられていることにより、供給調整部５３が第２供給位置Ｐｂに配置された状態で停止している（図２参照）。
【００７９】
画像形成動作の開始に伴い、制御部１００は、感光体ドラム１１の駆動をＯＦＦからＯＮに切り替えることで、感光体ドラム１１を感光体周速度Ｖｐで回転させる。また、感光体ドラム１１が回転を開始するのに伴い、転写ロール３１は転写位置Ｔｒにて感光体ドラム１１から受ける駆動力により転写周速度Ｖｔ（≒感光体周速度Ｖｐ）で回転を開始する。このとき、感光体ドラム１１および転写ロール３１は、互いに接触した状態で転写位置Ｔｒにおいて同じ方向に回転する。
【００８０】
次に、制御部１００は、帯電装置１２、露光装置１３および単色現像器１６を駆動させる。これに伴い、回転する感光体ドラム１１の感光層が帯電装置１２によって帯電された後、露光装置１３による露光が行われることにより、感光体ドラム１１には静電潜像が形成される。続いて、感光体ドラム１１上に形成された静電潜像が単色現像器１６によって現像され、感光体ドラム１１上には静電潜像に対応した単色（ここでは黒）のトナー像が形成される。その後、感光体ドラム１１上に形成された黒のトナー像は、感光体ドラム１１の更なる回転に伴い、転写位置Ｔｒに向かって移動していく。
【００８１】
一方、画像形成動作の開始に対応して、制御部１００は用紙供給部５０から用紙Ｓの供給を行わせる。より具体的に説明すると、制御部１００は、用紙収容部５１に収容された用紙Ｓを、取り出しロール５２によって取り出すことで第２給紙経路６２内に進入させる。このとき、制御部１００は、第１供給ロール５３ａの駆動をＯＦＦのままとしており、第２給紙経路６２内に侵入してきた用紙Ｓの用紙先端は、第２供給位置Ｐｂにセットされた供給調整部５３における供給ニップ部Ｎの入口側に突き当たった状態で停止し、この用紙Ｓの斜行補正がなされる。そして、制御部１００は、用紙Ｓの斜行補正がなされた状態で、第１供給ロール５３ａの駆動をＯＦＦからＯＮに切り替えることで、第１供給ロール５３ａおよび第２供給ロール５３ｂを供給周速度Ｖｓで回転させる。これに伴い、用紙Ｓの供給が再開され、用紙Ｓは供給ニップ部Ｎを通過しつつ、第２給紙経路６２を介して第２給紙位置Ｐ２に到達する。
【００８２】
次に、第２給紙位置Ｐ２を通過した用紙Ｓの用紙先端は、転写位置Ｔｒに到達する（１回目）。このとき、制御部１００は、用紙Ｓの用紙先端が転写位置Ｔｒに到達するのに合わせて、感光体ドラム１１上の黒のトナー像の形成領域の移動方向先端が転写位置Ｔｒに到達するように、露光装置１３および第１供給ロール５３ａの制御を行っている。そして、制御部１００は、用紙Ｓの用紙先端が転写位置Ｔｒに到達するのに合わせて、転写ロール３１に印加する転写バイアスをＯＦＦからＯＮに切り替える。これにより、転写位置Ｔｒでは、用紙Ｓに対する黒のトナー像の転写（１色目）が開始される。また、転写位置Ｔｒを通過した用紙Ｓは、排紙経路６４に沿って定着部４０に向けて移動する。この用紙Ｓが定着ニップ部を通過していくことにより、用紙Ｓに転写された黒のトナー像は、用紙Ｓに定着される。
【００８３】
さらに、この例では、用紙Ｓの用紙先端が転写位置Ｔｒに到達した後、この用紙Ｓの用紙後端が供給ニップ部Ｎを通過し、さらに第２給紙位置Ｐ２を通過する。このとき、制御部１００は、用紙Ｓの用紙後端が供給ニップ部Ｎを通過した後に、第１供給ロール５３ａの駆動をＯＮからＯＦＦに切り替えることで、第１供給ロール５３ａおよび第２供給ロール５３ｂの回転を停止させる。
【００８４】
さらにまた、この例では、用紙Ｓの用紙後端が供給ニップ部Ｎを通過した後、この用紙Ｓに対する黒のトナー像の現像が終了する。また、これに続いて、用紙Ｓの用紙後端が転写位置Ｔｒを通過する。そして、制御部１００は、用紙Ｓの用紙後端が転写位置Ｔｒを通過するのに合わせて、転写ロール３１に印加する転写バイアスをＯＮからＯＦＦに切り替える。これにより、用紙Ｓに対する黒のトナー像の転写を終了する。
その後、用紙Ｓは、定着部４０を通過し、排紙経路６４を介して排紙積載部３に積載される。
【００８５】
ここで、転写ロール３１に転写バイアスが印加されている期間において、転写位置Ｔｒを、感光体ドラム１１に形成された黒の画像（図５（ｎ）に示すＫ）が通過することになり、また、用紙Ｓが１回目の通過を行う（図５（ｍ）に示すＳ（１ｓｔ））ことになる。
【００８６】
＜実施の形態２＞
図６は、実施の形態２に係る画像形成装置１における第１状態の一例を示す図であり、図７は、この画像形成装置１における第２状態の一例を示す図である。本実施の形態の画像形成装置１の基本構成は、実施の形態１の画像形成装置１における第１態様（図１参照）とほぼ同様であるが、転写ドラム２１と転写ロール３１との交換、および、ロータリ現像装置１４と単色現像器１６との交換を想定していない点で、実施の形態１とは異なる。また、本実施の形態の画像形成装置１は、転写ドラム２１を用いた画像形成装置１において、第１状態（多色モードの実行時）と第２状態（単色モードの実行時）とで、転写ドラム２１に対する用紙Ｓの給紙位置を異ならせている点で、実施の形態１における第１態様とは異なる。さらに、本実施の形態の画像形成装置１は、供給調整部５３の位置が、転写ドラム２１を含む第１転写部２０によって規制されないようになっている点で実施の形態１における第１態様とは異なる。なお、本実施の形態では、画像形成部１０が画像形成手段として、感光体ドラム１１が像保持体として、転写ドラム２１が転写部材として、それぞれ機能している。
【００８７】
供給部材の一例としての供給調整部５３は、実施の形態１と同じく、第１供給ロール５３ａの回転軸を中心として、回転方向に移動できるように構成されている。また、供給調整部５３において、供給フレーム５３ｃのうち第２供給ロール５３ｂの下方には、下側に向かい且つ用紙収容部５１側に向かって湾曲する供給案内部材５３ｄが取り付けられている。この供給案内部材５３ｄも、供給調整部５３の回転方向への移動に伴って移動するようになっている。そして、本実施の形態では、第１供給ロール５３ａおよび第２供給ロール５３ｂが、一対の回転部材として機能している。なお、供給調整部５３の位置を変更する機構については後述する。
【００８８】
ここで、第１の状態では、供給調整部５３が矢印Ｄ方向（図中反時計回り方向）に移動し、図６に示す位置で静止している。なお、本実施の形態では、図６に示す第１状態における供給調整部５３の停止位置を、第１供給位置Ｐａと称する。
【００８９】
そして、図６に示す第１状態においては、供給調整部５３が第１供給位置Ｐａに配置されることにより、供給調整部５３から送られる用紙Ｓが、転写ドラム２１の外周面上の第１給紙位置Ｐ１に供給されるようになっている。したがって、第１状態では、用紙収容部５１から、第１供給位置Ｐａに配置された供給調整部５３を介して、転写ドラム２１の第１給紙位置Ｐ１に向かう用紙Ｓの搬送経路が、第１給紙経路６１となる。なお、このとき、供給調整部５３が第１供給位置Ｐａに配置されることに伴い、供給調整部５３に設けられた供給案内部材５３ｄは、用紙収容部５１から搬送されてくる用紙Ｓを供給ニップ部Ｎに導くガイドとして機能する。
【００９０】
一方、第２の状態において、供給調整部５３が図６に示す第１供給位置Ｐａから矢印Ｄとは反対の方向（図中時計回り方向）に回転して移動し、図７に示す位置で静止している。なお、本実施の形態では、図７に示す第２状態における供給調整部５３の停止位置を、第２供給位置Ｐｂと称する。
【００９１】
そして、図７に示す第２状態においては、供給調整部５３が第２供給位置Ｐｂに配置されることにより、供給調整部５３から送られる用紙Ｓが、転写ドラム２１の外周面上の第２給紙位置Ｐ２に供給されるようになっている。したがって、第２状態では、用紙収容部５１から、第２供給位置Ｐｂに配置された供給調整部５３を介して、転写ドラム２１の第２給紙位置Ｐ２に向かう用紙Ｓの搬送経路が、第２給紙経路６２となる。なお、このとき、供給調整部５３が第２供給位置Ｐｂに配置されることに伴い、供給調整部５３に設けられた供給案内部材５３ｄは、用紙収容部５１から搬送されてくる用紙Ｓを供給ニップ部Ｎに導くガイドとして機能する。そして、これら第１給紙位置Ｐ１および第２給紙位置Ｐ２が、転写部材に対する記録材の到達位置に対応している。
なお、供給案内部材５３ｄについては、実施の形態１で説明した画像形成装置１の供給調整部５３に取り付けてもかまわない。
【００９２】
ここで、図６に示す第１状態に設定された画像形成装置１と、図７に示す第２状態に設定された画像形成装置１とを比較すると、第１状態において第１給紙位置Ｐ１から転写位置Ｔｒに至る用紙Ｓの搬送経路は、第２状態において第２給紙位置Ｐ２から転写位置Ｔｒに至る用紙Ｓの搬送経路よりも、距離が長くなっている。そして、第１状態においては、第１給紙位置Ｐ１に到達した用紙Ｓが、第２給紙位置Ｐ２を経由して転写位置Ｔｒに到達するようになっている。したがって、転写位置Ｔｒを基準として転写位置Ｔｒよりも用紙搬送方向上流側となる用紙Ｓの搬送経路をみたとき、第１状態における第１給紙位置Ｐ１は、第２状態における第２給紙位置Ｐ２に比べて、より遠い位置となっている。
【００９３】
図８は、本実施の形態において供給調整部５３を位置決めする位置決め機構８０の構成の一例を示す図である。ここで、図８（ａ）は第１供給位置Ｐａに供給調整部５３を位置決めした状態を、また、図８（ｂ）は第２供給位置Ｐｂに供給調整部５３を位置決めした状態を、それぞれ例示している。
【００９４】
この位置決め機構８０は、第１供給ロール５３ａの回転軸を中心として回転可能に設けられた供給フレーム５３ｃの自由端側にその一端側が取り付けられ、その他端側が供給調整部５３の下方に位置する筐体２に取り付けられた圧縮バネ８１と、供給フレーム５３ｃの自由端側における下方に、カム軸８２ａを中心として回転可能に設けられたカム８２とを有している。供給調整部５３には、圧縮バネ８１によって図中反時計回り方向に回転させようとする力がかかり、且つ、カム８２によって図中反時計回りに回転させようとする力をせき止める力がかかることにより、カム８２のカム面に接触した状態で静止する。そして、本実施の形態では、カム軸８２ａを中心としてカム８２を図中時計回り方向（あるいは反時計回り方向）に１８０°ずつ回転させ且つ停止させることで、供給調整部５３を、第１供給位置Ｐａあるいは第２供給位置Ｐｂにて位置決めするようになっている。ここで、本実施の形態では、圧縮バネ８１、カム８２およびカム８２を駆動する駆動源（図示せず）が、変更手段として機能している。なお、この例において、画像形成動作を開始する前の供給調整部５３は、第２状態（図７および図８（ｂ）参照）に設定されている。
【００９５】
では次に、本実施の形態の画像形成装置１による画像形成動作について説明を行う。なお、図６に示す第１状態に設定された画像形成装置１では、イエロー、マゼンタ、シアンおよび黒のうち、２色乃至４色のトナーを用いて１枚の用紙Ｓに多色画像を形成する動作が実行可能である。また、図７に示す第２状態に設定された画像形成装置１では、イエロー、マゼンタ、シアンおよび黒のうち、１色のトナーを用いて１枚の用紙Ｓに単色画像を形成する動作が実行可能である。以下では、前者を『多色モード』と呼び、後者を『単色モード』と呼ぶ。そして、ここでは、『多色モード』のうち、４色のトナーを用いて１枚の用紙Ｓにフルカラー画像を形成する場合を例とし、また、『単色モード』のうち、黒のトナーを用いて１枚の用紙Ｓにモノクロ画像を形成する場合を例とする。
【００９６】
以下、本実施の形態の画像形成装置１における『多色モード』および『単色モード』のそれぞれについて、具体的に説明する。なお、以下に説明する各例では、画像の形成対象となる用紙Ｓの大きさおよび向きが、ともに同じであるものとする。
【００９７】
ここで、『多色モード』および『単色モード』において、矢印Ａ方向に回転する感光体ドラム１１の周速度を感光体周速度Ｖｐと呼び、矢印Ｂ方向に回転する転写ドラム２１の周速度を転写周速度Ｖｔと呼び、第１供給ロール５３ａおよび第２供給ロール５３ｂの周速度を供給周速度Ｖｓと呼ぶ。なお、これら感光体周速度Ｖｐ、転写周速度Ｖｔおよび供給周速度Ｖｓの大小関係は、実施の形態１における第１態様の場合と同じ（Ｖｐ＜Ｖｔ＜Ｖｓ）である。
【００９８】
［多色モード］
図９は、本実施の形態の画像形成装置１を用い、１枚の用紙Ｓ上にイエロー、マゼンタ、シアンおよび黒の４色を含むフルカラー画像を形成する、『多色モード』におけるタイミングチャートの一例を示している。
【００９９】
ここで、図９は、時間の経過と、（ａ）感光体ドラム１１の駆動（ＯＮ／ＯＦＦ）と、（ｂ）現像位置に配置される現像器と、（ｃ）供給調整部５３の位置（第１供給位置Ｐａ／第２供給位置Ｐｂ）と、（ｄ）転写ドラム２１の駆動（ＯＮ／ＯＦＦ）と、（ｅ）転写ドラム２１に対する転写バイアスの印加（ＯＮ／ＯＦＦ）と、（ｆ）先端グリッパ２２の状態（開／閉）と、（ｇ）後端グリッパ２３の状態（開／閉）と、（ｈ）後端グリッパ２３の駆動（ＯＮ／ＯＦＦ）と、（ｉ）供給ロール（第１供給ロール５３ａ）の駆動（ＯＮ／ＯＦＦ）と、（ｊ）供給ニップ部Ｎを通過する用紙Ｓと、（ｋ）第１給紙位置Ｐ１を通過する用紙Ｓと、（ｌ）第２給紙位置Ｐ２を通過する用紙Ｓと、（ｍ）転写位置Ｔｒを通過する用紙Ｓと、（ｎ）転写位置Ｔｒを通過する感光体ドラム１１上の画像との関係を示している。
【０１００】
さらに、多色モードによるフルカラーの画像形成動作が開始される前の初期状態では、感光体ドラム１１、転写ドラム２１、そして第１供給ロール５３ａの駆動が、すべてＯＦＦになっている。また、初期状態では、転写ドラム２１に対する転写バイアスの供給もＯＦＦになっている。さらに、初期状態では、先端グリッパ２２および後端グリッパ２３が、ともに開状態に設定されている。さらにまた、初期状態では黒の現像器１４Ｋが現像位置に配置された状態で停止し、後端グリッパ２３が待機位置に配置された状態で停止している。そして、供給調整部５３は、第２供給位置Ｐｂに配置された状態で停止している（図７および図８（ｂ）参照）。
【０１０１】
多色モードでの画像形成動作の開始に伴い、制御部１００は、感光体ドラム１１および転写ドラム２１の駆動をＯＦＦからＯＮに切り替えることで、感光体ドラム１１を感光体周速度Ｖｐで、また、転写ドラム２１を転写周速度Ｖｔで、それぞれ回転させる。このとき、感光体ドラム１１および転写ドラム２１は、互いに接触した状態で転写位置Ｔｒにおいて同じ方向に回転する。
【０１０２】
また、多色モードでの画像形成動作の開始に伴い、制御部１００は、カム８２を駆動して、第２供給位置Ｐｂにセットされた供給調整部５３を、第１供給位置Ｐａにセットさせる。
【０１０３】
次に、制御部１００は、ロータリ現像装置１４を回転させ、現像位置にイエローの現像器１４Ｙを配置させる。そして、制御部１００は、帯電装置１２、露光装置１３および現像位置にある現像器（ここではイエローの現像器１４Ｙ）を駆動させる。これに伴い、回転する感光体ドラム１１の感光層が帯電装置１２によって帯電された後、露光装置１３による露光が行われることにより、感光体ドラム１１には静電潜像が形成される。続いて、感光体ドラム１１上に形成された静電潜像がイエローの現像器１４Ｙによって現像され、感光体ドラム１１上には静電潜像に対応したイエローのトナー像が形成される。その後、感光体ドラム１１上に形成されたイエローのトナー像は、感光体ドラム１１の更なる回転に伴い、転写位置Ｔｒに向かって移動していく。
【０１０４】
一方、多色モードでの画像形成動作の開始に対応して、制御部１００は用紙供給部５０から用紙Ｓの供給を行わせる。より具体的に説明すると、制御部１００は、用紙収容部５１に収容された用紙Ｓを、取り出しロール５２によって取り出すことで第１給紙経路６１内に進入させる。このとき、制御部１００は、第１供給ロール５３ａの駆動をＯＦＦのままとしており、第１給紙経路６１内に進入してきた用紙Ｓの用紙先端は、第１供給位置Ｐａにセットされた供給調整部５３における供給ニップ部Ｎの入口側に突き当たった状態で停止し、この用紙Ｓの斜行補正がなされる。そして、制御部１００は、回転する転写ドラム２１に取り付けられた先端グリッパ２２が第１給紙位置Ｐ１に到達する際に、この用紙Ｓの用紙先端が第１給紙位置Ｐ１に到達するように、第１供給ロール５３ａの駆動をＯＦＦからＯＮに切り替えることで、第１供給ロール５３ａおよび第２供給ロール５３ｂを供給周速度Ｖｓで回転させる。これに伴い、用紙Ｓの供給が再開され、用紙Ｓは供給ニップ部Ｎを通過しつつ、第１給紙経路６１を介して第１給紙位置Ｐ１に到達する。そして、制御部１００は、用紙Ｓの用紙先端が第１給紙位置Ｐ１に到達するのに合わせて、先端グリッパ２２を開状態から閉状態へと移行させる。これにより、用紙Ｓの用紙先端は、転写ドラム２１に機械的に把持される。このとき、用紙Ｓの用紙先端側は、転写ドラム２１の弾性層２１Ｂに巻き付いた状態で回転経路６３に沿って搬送され、この用紙Ｓの用紙後端側は、第１供給ロール５３ａおよび第２供給ロール５３ｂによる供給ニップ部Ｎにてニップされた状態で、第１給紙経路６１に沿って搬送されることになる。
【０１０５】
次に、先端グリッパ２２によって転写ドラム２１に把持された用紙Ｓの用紙先端は、第１給紙位置Ｐ１を通過し且つ待機位置にて停止状態を維持する後端グリッパ２３をくぐり抜けた後、さらに第２給紙位置Ｐ２を通過して転写位置Ｔｒに到達する（１回目）。このとき、制御部１００は、転写ドラム２１に把持された用紙Ｓの用紙先端が転写位置Ｔｒに到達するのに合わせて、感光体ドラム１１上のイエローのトナー像の形成領域の移動方向先端が転写位置Ｔｒに到達するように、位相センサ２５からの位相信号に基づいて露光装置１３の制御を行っている。そして、制御部１００は、用紙Ｓの用紙先端が転写位置Ｔｒに到達するのに合わせて、転写ドラム２１に印加する転写バイアスをＯＦＦからＯＮに切り替える。これにより、転写位置Ｔｒでは、用紙Ｓに対するイエローのトナー像の転写（１色目）が開始される。
【０１０６】
また、この例では、用紙Ｓの用紙先端が転写位置Ｔｒに到達した後、この用紙Ｓの用紙後端が供給ニップ部Ｎを通過し、さらに第１給紙位置Ｐ１も通過する。このとき、制御部１００は、用紙Ｓの用紙後端が供給ニップ部Ｎを通過した後に、第１供給ロール５３ａの駆動をＯＮからＯＦＦに切り替えることで、第１供給ロール５３ａおよび第２供給ロール５３ｂの回転を停止させる。そして、制御部１００は、この用紙Ｓの用紙後端が、待機位置で停止している後端グリッパ２３との対向部に到達するのに合わせて、後端グリッパ２３を開状態から閉状態へと移行させ、且つ、後端グリッパ２３を、転写ドラム２１と同じ方向に同じ転写周速度Ｖｔで回転させる。これにより、用紙Ｓの用紙後端は、転写ドラム２１に機械的に把持される。これに伴い、この用紙Ｓは、その用紙先端が先端グリッパ２２によって、また、その用紙後端が後端グリッパ２３によって、それぞれ把持されることになる。その結果、用紙Ｓの全体が、転写ドラム２１の弾性層２１Ｂに巻き付いた状態で、回転経路６３に沿って搬送されることになる。
【０１０７】
さらに、この例では、用紙Ｓの用紙後端が第１給紙位置Ｐ１に到達した後、この用紙Ｓに対応するイエローのトナー像の現像が終了する。また、これに続いて、転写ドラム２１に把持された用紙Ｓの用紙後端が転写位置Ｔｒを通過する。そして、制御部１００は、用紙Ｓの用紙後端が転写位置Ｔｒを通過するのに合わせて、転写ドラム２１に印加する転写バイアスをＯＮからＯＦＦに切り替える。これにより、用紙Ｓに対するイエローのトナー像の転写を終了する。また、この例では、用紙Ｓに対するイエローのトナー像の転写が終了するのに伴って、制御部１００がロータリ現像装置１４を駆動させ、現像位置に配置された現像器の切り替え（イエローの現像器１４Ｙからマゼンタの現像器１４Ｍへの切り替え）を行う。そして、制御部１００は、感光体ドラム１１に対するマゼンタのトナー像の形成を開始させる。
【０１０８】
ここで、転写ドラム２１に転写バイアスが印加されている期間において、転写位置Ｔｒを、感光体ドラム１１に形成されたイエローの画像（図９（ｎ）に示すＹ）が通過することになり、また、用紙Ｓが１回目の通過を行う（図９（ｍ）に示すＳ（１ｓｔ））ことになる。
【０１０９】
転写ドラム２１の回転に伴って転写ドラム２１の露出部２１Ｃが転写位置Ｔｒを通過した後、転写ドラム２１に把持されることで回転経路６３内を移動する用紙Ｓの用紙先端が転写位置Ｔｒに到達する（２回目）。このとき、制御部１００は、転写ドラム２１に把持された用紙Ｓの用紙先端が転写位置Ｔｒに到達するのに合わせて、感光体ドラム１１上のマゼンタのトナー像の形成領域の移動方向先端が転写位置Ｔｒに到達するように、位相センサ２５からの位相信号に基づいて露光装置１３およびロータリ現像装置１４の制御を行っている。そして、制御部１００は、用紙Ｓの用紙先端が転写位置Ｔｒに到達するのに合わせて、転写ドラム２１に印加する転写バイアスをＯＦＦからＯＮに切り替える。これにより、転写位置Ｔｒでは、用紙Ｓに対するマゼンタのトナー像の転写（２色目）が開始される。
【０１１０】
また、この例では、用紙Ｓの用紙後端が第１給紙位置Ｐ１に到達した後、この用紙Ｓに対応するマゼンタのトナー像の現像が終了する。また、これに続いて、転写ドラム２１に把持された用紙Ｓの用紙後端が転写位置Ｔｒを通過する。そして、制御部１００は、用紙Ｓの用紙後端が転写位置Ｔｒを通過するのに合わせて、転写ドラム２１に印加する転写バイアスをＯＮからＯＦＦに切り替える。これにより、用紙Ｓに対するマゼンタのトナー像の転写を終了する。また、この例では、用紙Ｓに対するマゼンタのトナー像の転写が終了するのに伴って、制御部１００がロータリ現像装置１４を駆動させ、現像位置に配置された現像器の切り替え（マゼンタの現像器１４Ｍからシアンの現像器１４Ｃへの切り替え）を行う。そして、制御部１００は、感光体ドラム１１に対するシアンのトナー像の形成を開始させる。
【０１１１】
ここで、転写ドラム２１に転写バイアスが印加されている期間において、転写位置Ｔｒを、感光体ドラム１１に形成されたマゼンタの画像（図９（ｎ）に示すＭ）が通過することになり、また、用紙Ｓが２回目の通過を行う（図９（ｍ）に示すＳ（２ｎｄ））ことになる。
【０１１２】
転写ドラム２１の回転に伴って転写ドラム２１の露出部２１Ｃが転写位置Ｔｒを通過した後、転写ドラム２１に把持されることで回転経路６３内を移動する用紙Ｓの用紙先端が転写位置Ｔｒに到達する（３回目）。このとき、制御部１００は、転写ドラム２１に把持された用紙Ｓの用紙先端が転写位置Ｔｒに到達するのに合わせて、感光体ドラム１１上のシアンのトナー像の形成領域の移動方向先端が転写位置Ｔｒに到達するように、位相センサ２５からの位相信号に基づいて露光装置１３およびロータリ現像装置１４の制御を行っている。そして、制御部１００は、用紙Ｓの用紙先端が転写位置Ｔｒに到達するのに合わせて、転写ドラム２１に印加する転写バイアスをＯＦＦからＯＮに切り替える。これにより、転写位置Ｔｒでは、用紙Ｓに対するシアンのトナー像の転写（３色目）が開始される。
【０１１３】
また、この例では、用紙Ｓの用紙後端が第１給紙位置Ｐ１に到達した後、この用紙Ｓに対応するシアンのトナー像の現像が終了する。また、これに続いて、転写ドラム２１に把持された用紙Ｓの用紙後端が転写位置Ｔｒを通過する。そして、制御部１００は、用紙Ｓの用紙後端が転写位置Ｔｒを通過するのに合わせて、転写ドラム２１に印加する転写バイアスをＯＮからＯＦＦに切り替える。これにより、用紙Ｓに対するシアンのトナー像の転写を終了する。また、この例では、用紙Ｓに対するシアンのトナー像の転写が終了するのに伴って、制御部１００がロータリ現像装置１４を駆動させ、現像位置に配置された現像器の切り替え（シアンの現像器１４Ｃから黒の現像器１４Ｋへの切り替え）を行う。そして、制御部１００は、感光体ドラム１１に対する黒のトナー像の形成を開始させる。
【０１１４】
ここで、転写ドラム２１に転写バイアスが印加されている期間において、転写位置Ｔｒを、感光体ドラム１１に形成されたシアンの画像（図９（ｎ）に示すＣ）が通過することになり、また、用紙Ｓが３回目の通過を行う（図９（ｍ）に示すＳ（３ｒｄ））ことになる。
【０１１５】
転写ドラム２１の回転に伴って転写ドラム２１の露出部２１Ｃが転写位置Ｔｒを通過した後、転写ドラム２１に把持されることで回転経路６３内を移動する用紙Ｓの用紙先端が転写位置Ｔｒに到達する（４回目）。このとき、制御部１００は、転写ドラム２１に把持された用紙Ｓの用紙先端が転写位置Ｔｒに到達するのに合わせて、感光体ドラム１１上の黒のトナー像の形成領域の移動方向先端が転写位置Ｔｒに到達するように、位相センサ２５からの位相信号に基づいて露光装置１３およびロータリ現像装置１４の制御を行っている。そして、制御部１００は、用紙Ｓの用紙先端が転写位置Ｔｒに到達するのに合わせて、転写ドラム２１に印加する転写バイアスをＯＦＦからＯＮに切り替える。これにより、転写位置Ｔｒでは、用紙Ｓに対する黒のトナー像の転写（４色目）が開始される。
【０１１６】
また、この例では、用紙Ｓの用紙先端が転写位置Ｔｒに到達するのに合わせて、制御部１００が、先端グリッパ２２を閉状態から開状態へと移行させる。これにより、用紙Ｓの用紙先端の把持が解除されることとなり、転写位置Ｔｒを通過した用紙Ｓは回転経路６３から離れ、排紙経路６４に沿って定着部４０に向けて移動していく。この用紙Ｓが定着部４０の定着ニップ部を通過していくことにより、用紙Ｓに重ね転写されたフルカラートナー像は、用紙Ｓに定着される。
【０１１７】
そして、この例では、用紙Ｓの用紙後端が第１給紙位置Ｐ１に到達した後、この用紙Ｓに対応する黒のトナー像の現像が終了する。また、これに続いて、用紙Ｓの用紙後端が待機位置に到達するのに合わせて、制御部１００は、後端グリッパ２３を閉状態から開状態へと移行させ、且つ、後端グリッパ２３の回転を停止させる。これにより、用紙Ｓの用紙後端の把持が解除され、後端グリッパ２３は再び待機位置で停止することになる。そして、制御部１００は、用紙Ｓの用紙後端が転写位置Ｔｒに到達するのに合わせて、転写ドラム２１に印加する転写バイアスをＯＮからＯＦＦに切り替える。これにより、用紙Ｓに対する黒のトナー像の転写を終了する。
その後、用紙Ｓは、定着部４０を通過し、排紙経路６４を介して排紙積載部３に積載される。
【０１１８】
ここで、転写ドラム２１に転写バイアスが印加されている期間において、転写位置Ｔｒを、感光体ドラム１１に形成された黒の画像（図９（ｎ）に示すＫ）が通過することになり、また、第２用紙Ｓ２が４回目の通過を行う（図９（ｍ）に示すＳ（４ｔｈ））ことになる。
【０１１９】
［単色モード］
図１０は、本実施の形態の画像形成装置１を用い、１枚の用紙Ｓ上に黒のモノクロ画像を形成する、『単色モード』におけるタイミングチャートの一例を示している。なお、図１０に示す各符号、各構成要素の前提条件および初期状態は、図９を用いて説明した『多色モード』と同じである。
【０１２０】
単色モードでの画像形成動作の開始に伴い、制御部１００は、感光体ドラム１１および転写ドラム２１の駆動をＯＦＦからＯＮに切り替えることで、感光体ドラム１１を感光体周速度Ｖｐで、また、転写ドラム２１を転写周速度Ｖｔで、それぞれ回転させる。このとき、感光体ドラム１１および転写ドラム２１は、互いに接触した状態で転写位置Ｔｒにおいて同じ方向に回転する。
【０１２１】
また、制御部１００は、単色モードではカム８２の駆動を行わず、第２供給位置Ｐｂに供給調整部５３をセットさせたままとする。
【０１２２】
さらに、単色モードにおいて黒の画像を形成する場合、制御部１００は、現像位置に黒の現像器１４Ｋが停止しているロータリ現像装置１４を回転させることなく、帯電装置１２、露光装置１３および現像位置にある現像器（ここでは黒の現像器１４Ｋ）を駆動させる。これに伴い、回転する感光体ドラム１１の感光層が帯電装置１２によって帯電された後、露光装置１３による露光が行われることにより、感光体ドラム１１には静電潜像が形成される。続いて、感光体ドラム１１上に形成された静電潜像が黒の現像器１４Ｋによって現像され、感光体ドラム１１上には静電潜像に対応した黒のトナー像が形成される。その後、感光体ドラム１１上に形成された黒のトナー像は、感光体ドラム１１の更なる回転に伴い、転写位置Ｔｒに向かって移動していく。
【０１２３】
一方、単色モードでの画像形成動作の開始に対応して、制御部１００は用紙供給部５０から用紙Ｓの供給を行わせる。より具体的に説明すると、制御部１００は、用紙収容部５１に収容された用紙Ｓを、取り出しロール５２によって取り出すことで第２給紙経路６２内に進入させる。このとき、制御部１００は、第１供給ロール５３ａの駆動をＯＦＦのままとしており、第２給紙経路６２内に進入してきた用紙Ｓの用紙先端は、第２供給位置Ｐｂにセットされた供給調整部５３における供給ニップ部Ｎの入口側に突き当たった状態で停止し、この用紙Ｓの斜行補正がなされる。そして、制御部１００は、回転する転写ドラム２１に取り付けられた先端グリッパ２２が第２給紙位置Ｐ２に到達する際に、この用紙Ｓの用紙先端が第２給紙位置Ｐ２に到達するように、第１供給ロール５３ａの駆動をＯＦＦからＯＮに切り替えることで、第１供給ロール５３ａおよび第２供給ロール５３ｂを供給周速度Ｖｓで回転させる。これに伴い、用紙Ｓの供給が再開され、用紙Ｓは供給ニップ部Ｎを通過しつつ、第２給紙経路６２を介して第２給紙位置Ｐ２に到達する。このとき、制御部１００は、用紙Ｓの用紙先端が第２給紙位置Ｐ２に到達しても、先端グリッパ２２を開状態のままとさせる。これにより、用紙Ｓの用紙先端側は、転写ドラム２１に機械的に把持されない状態で回転経路６３に沿って搬送され、この用紙Ｓの用紙後端側は、第１供給ロール５３ａおよび第２供給ロール５３ｂによる供給ニップ部Ｎにてニップされた状態で、第１給紙経路６１に沿って搬送されることになる。
【０１２４】
次に、第２給紙位置Ｐ２を通過した用紙Ｓの用紙先端は、待機位置にて停止状態を維持する後端グリッパ２３をくぐり抜けることなく転写位置Ｔｒに到達する（１回目）。このとき、制御部１００は、この用紙Ｓの用紙先端が転写位置Ｔｒに到達するのに合わせて、感光体ドラム１１上の黒のトナー像の形成領域の移動方向先端が転写位置Ｔｒに到達するように、位相センサ２５からの位相信号に基づいて露光装置１３の制御を行っている。そして、制御部１００は、用紙Ｓの用紙先端が転写位置Ｔｒに到達するのに合わせて、転写ドラム２１に印加する転写バイアスをＯＦＦからＯＮに切り替える。これにより、転写位置Ｔｒでは、用紙Ｓに対する黒のトナー像の転写（１色目）が開始される。また、転写位置Ｔｒを通過した用紙Ｓは、排紙経路６４に沿って定着部４０に向けて移動する。この用紙Ｓが定着ニップ部を通過していくことにより、用紙Ｓに転写された黒のトナー像は、用紙Ｓに定着される。
【０１２５】
さらに、この例では、用紙Ｓの用紙先端が転写位置Ｔｒに到達した後、この用紙Ｓの用紙後端が供給ニップ部Ｎを通過し、さらに第２給紙位置Ｐ２を通過する。このとき、制御部１００は、用紙Ｓの用紙後端が供給ニップ部Ｎを通過した後に、第１供給ロール５３ａの駆動をＯＮからＯＦＦに切り替えることで、第１供給ロール５３ａおよび第２供給ロール５３ｂの回転を停止させる。
【０１２６】
さらにまた、この例では、用紙Ｓの用紙後端が供給ニップ部Ｎを通過した後、この用紙Ｓに対する黒のトナー像の現像が終了する。また、これに続いて、用紙Ｓの用紙後端が転写位置Ｔｒを通過する。そして、制御部１００は、用紙Ｓの用紙後端が転写位置Ｔｒを通過するのに合わせて、転写ドラム２１に印加する転写バイアスをＯＮからＯＦＦに切り替える。これにより、用紙Ｓに対する黒のトナー像の転写を終了する。
その後、用紙Ｓは、定着部４０を通過し、排紙経路６４を介して排紙積載部３に積載される。
【０１２７】
ここで、転写ドラム２１に転写バイアスが印加されている期間において、転写位置Ｔｒを、感光体ドラム１１に形成された黒の画像（図１０（ｎ）に示すＫ）が通過することになり、また、用紙Ｓが１回目の通過を行う（図１０（ｍ）に示すＳ（１ｓｔ））ことになる。
【０１２８】
このように、単色モードでは、多色モードとは異なり、先端グリッパ２２、後端グリッパ２３を用いた用紙Ｓの把持、および、後端グリッパ２３の回転駆動を行わない。ただし、転写ドラム２１に露出部２１Ｃが設けられていることから、転写ドラム２１の第２給紙位置Ｐ２に対する用紙Ｓの供給は、先端グリッパ２２が第２給紙位置Ｐ２に到達するタイミングを基準として行う。この理由は、転写位置Ｔｒを用紙Ｓが通過するタイミングと、転写位置Ｔｒを転写ドラム２１の露出部２１Ｃが通過するタイミングとが重ならないようにするためである。
【符号の説明】
【０１２９】
１…画像形成装置、２…筐体、１０…画像形成部、１１…感光体ドラム、１２…帯電装置、１３…露光装置、１４…ロータリ現像装置、１５…清掃装置、１６…単色現像器、２０…第１転写部、２１…転写ドラム、２２…先端グリッパ、２３…後端グリッパ、２５…位相センサ、２６…転写ドラム用フレーム、３０…第２転写部、３１…転写ロール、３２…転写ロール用フレーム、４０…定着部、５０…用紙供給部、５１…用紙収容部、５２…取り出しロール、５３…供給調整部、６１…第１給紙経路、６２…第２給紙経路、６３…回転経路、６４…排紙経路、７０…圧縮バネ、８０…位置決め機構、８１…圧縮バネ、８２…カム、８２ａ…カム軸、１００…制御部
【図１】
2012185305.tif 000003
【図２】
2012185305.tif 000004
【図３】
2012185305.tif 000005
【図４】
2012185305.tif 000006
【図５】
2012185305.tif 000007
【図６】
2012185305.tif 000008
【図７】
2012185305.tif 000009
【図８】
2012185305.tif 000010
【図９】
2012185305.tif 000011
【図１０】
2012185305.tif 000012